(57)【特許請求の範囲】
【請求項１】
ヘアスタイリング装置であって、前記装置が：
空気入口と空気出口とを有する、使用者の手に保持されるように寸法設定されたハウジングと、
前記ハウジング内部のファンと、
前記空気入口から前記空気出口へ通過する空気を加熱するヒーターと、
前記空気入口に隣接して胴部に取り付けられたエンドキャップと、
を備え、
前記エンドキャップが、エンドキャップ軸線を画定し前記胴部の空気入口端部に向かう方向に断面積を増加する円錐台形状のエンドキャップフレームと、前記エンドキャップフレーム内部に、前記エンドキャップフレームの円錐台形状に沿って取り付けられた円錐台形状のノイズ低減器と、を含み、前記ノイズ低減器が、音響エネルギーを低減するように寸法設定されており、
前記ノイズ低減器が、細長く、また、音響発泡体を備え、前記ノイズ低減器の伸長された軸線方向長さが、音響波、音波、及び／又は振動波が前記エンドキャップフレームを通って伝播するときに晒される表面積を増大させ、これにより、前記ノイズ低減器の前記発泡体内部の吸収を更に容易にし、更に、前記ノイズ低減器の前記円錐台形状は、前記ノイズ低減器の前記発泡体によって吸収されない伝播する波の移動距離を増大させることにより、ノイズを低減している、
ヘアスタイリング装置。
【請求項２】
前記エンドキャップが、前記ハウジングに取り外し可能に結合されている、
請求項１に記載の装置。
【請求項３】
前記エンドキャップが、ロック・リングを含み、前記ロック・リングが、前記ノイズ低減器の保持を容易にするために、前記エンドキャップフレームと結合するように寸法設定されている、
請求項２に記載の装置。
【請求項４】
前記エンドキャップが、フィルタースクリーンを含む、
請求項３に記載の装置。
【請求項５】
前記フィルタースクリーンが、前記ロック・リングに取り外し可能に取り付けられている、
請求項４に記載の装置。
【発明の詳細な説明】
【技術分野】
【０００１】
本発明は、毛髪を手入れする装置、特に、フィルターとノイズ低減能力とを有するエンドキャップを含むヘアドライヤー装置、に関する。
【背景技術】
【０００２】
毛髪手入れ装置、例えばヘアドライヤー及びその他の電化製品が、当業者に知られている。手持ち式ヘアドライヤー又はブロワーは、ヘアドライヤーのハウジング内部に機能的構成部分の全て、例えばモーター、ブロワー、及び加熱エレメントを組み込んでいる。空気は加熱エレメント（一般には電気抵抗エレメント）と接触すると加熱され、次にブロワーを介して熱風の流れの形態で反対側の端部で吐き出される。出口端部は、放出される熱風流を成形するように成形されているか、又は、取り外し可能なアダプタを装着することができる。
【発明の概要】
【発明が解決しようとする課題】
【０００３】
ハウジング内部の機能的構成部分の存在は、ヘアドライヤーのノイズ出力を増大させる。循環する空気流によって発生するノイズに加えて、機械的なノイズは、使用者及び周囲環境にとって不都合である。
【課題を解決するための手段】
【０００４】
従って、本開示は、従来のヘアドライヤーの上述の欠点に対処するヘアドライヤー装置に関する。１実施態様によれば、ヘアスタイリング装置は、空気入口と空気出口とを有する、使用者の手に保持されるように寸法設定されたハウジングと、ハウジング内部のファンと、空気入口から空気出口へ通過する空気を加熱するヒーターと、空気入口に隣接して胴部に取り付けられたエンドキャップと、を含む。エンドキャップは、エンドキャップ軸線を画定するエンドキャップフレームと、エンドキャップフレーム内部に取り付けられたノイズ低減器と、を含む。ノイズ低減器は、装置の操作に関連する音響エネルギー、音、及び／又は振動、を低減するように寸法設定されている。エンドキャップは、ハウジングに取り外し可能に結合することができる。
【０００５】
ノイズ低減器は、音響発泡体（acoustic foam）を備えることができる。１実施態様では、ノイズ低減器は細長く、及び／又は、ほぼ円錐台形状とすることができる。細長い形状は、音響エネルギー、振動、及び／又は音、がノイズ低減器に沿って伝播するとき、エネルギー吸収のための表面積をより大きくすることによって、音響エネルギー、振動、及び／又は音、の強度を低減するのを支援することができる。エンドキャップフレームはほぼ円錐台形状とすることができる。ノイズ低減器は、エンドキャップフレームの軸線方向長さの大部分に沿って延びるように寸法設定されている。
【０００６】
これらの実施態様では、エンドキャップは、ロック・リングを含む。ロック・リングは、ノイズ低減器の保持を容易にするためにエンドキャップフレームと結合するように寸法設定されている。エンドキャップは、フィルタースクリーンを含むことができ、フィルタースクリーンは、エンドキャップフレームに取り付けることができる。
【０００７】
下記考察によって、ヘアスタイリング装置の他の特徴及び利点が、より明らかになる。
【０００８】
図面を参照しながら、本開示の様々な実施態様を以下に説明する。
【図面の簡単な説明】
【０００９】
【図１】図１は、本開示の原理に基づくブロードライヤの形態を成すヘアスタイリング装置の、ハウジングとハウジングに取り付けられたエンドキャップとを示す図である。
【図２】図２は、ヘアスタイリング装置を示す側面図である。
【図３】図３は、ヘアスタイリング装置のエンドキャップを示す斜視図である。
【図４】図４は、ヘアスタイリング装置のエンドキャップを示す斜視図である。
【図５】図５は、ヘアスタイリング装置のエンドキャップの、エンドキャップフレームとノイズ低減器とロック・リングとフィルターとを示す分解斜視図である。
【図６】図６は、ヘアスタイリング装置のエンドキャップを示す側面図である。
【図７】図７は、ヘアスタイリング装置のエンドキャップを示す側面断面図である。
【図８】図８は、胴部にエンドキャップを取り外し可能に結合するための１つの機構を示す断面図である。
【図９】図９は、ロック・リングとフィルターとが取り外されたエンドキャップの、ノイズ低減器内部での音響エネルギーの吸収及び反射を示す側面断面図である。
【発明を実施するための形態】
【００１０】
図１は、本開示の特徴を組み入れた、ヘアスタイリング装置１０の形態を成す１つの例示的実施態様を示す斜視図である。ヘアスタイリング装置１０は、ハンドルフレーム又はハンドグリップ１４と、ハンドグリップ１４で支持されている胴部１６と、を有するハウジング１２を含んでいる。ハンドグリップ１４と胴部１６とは、ピストル形状を形成することができる。直線状を含む他の形状も考えられる。胴部１６は、長手方向胴部軸線「ｋ」を画定し、空気入口端部１８と空気出口端部２０とを有している。ヘアスタイリング装置１０は、更に、エンドキャップ２２を含む。エンドキャップ２２は、ハンドルフレーム１２に結合されている。具体的には、エンドキャップ２２は、胴部１６の空気入口端部１８に隣接して取り付けられており、空気出口端部２０とは、長手方向反対側の関係にある。電力リード線２４が、ハンドルフレーム１４から延び、装置に給電する。
【００１１】
ハンドルフレーム１２は、ヘアスタイリング装置１０の機能を制御する複数のスイッチ又は制御エレメントを含んでいる。スイッチ又は制御エレメントは、マスタースイッチ、例えば電力オン／オフスイッチ、及び／又は、少なくとも１つ又は２つ又は３つ以上の制御エレメント又はスイッチ２６，２８、を含むことができる。第１の制御エレメント２６は、抵抗器又はヒーターエレメント３０を制御することができ、抵抗器又はヒーターエレメント３０は、空気入口端部１８に入って空気出口端部２０によって放出される空気を加熱する。例えば、第１の制御エレメント２６は、レオスタット又は可変抵抗器と電気的に連通することができ、熱設定値及び空気に加えられる熱のレベルを制御する。複数の熱設定値、例えば３つの熱設定値、が考えられる。第２の制御エレメント２８は、ブロワー又はファン３２を出ていく空気流の速度を調節することができ、これは、例えば、複数の速度設定値、例えば２つの速度設定値、の間でブロワー３２の回転速度を変化させることによって、調節することができる。ヘアスタイリング装置１０は、ボタン又はスイッチ３４を含むことができ、ボタン又はスイッチ３４は、ヒーターエレメント３０を停止するように選択的に切り換えられ、冷風を長時間にわたって毛髪に吹き付ける。すなわちこれは冷風発射ボタン３４である。ヘアスタイリング装置１０の補助機能を制御するための他のスイッチ、又は制御エレメントも考えられる。抵抗器又はヒーターエレメント３０、ブロワー又はファン３２、ファン３２を操作するためのモーター３４、が図１に概略的に示されている。
【００１２】
図３〜７をここで参照しながら、胴部１６の空気入口端部１８に結合されたエンドキャップ２２を論じる。エンドキャップ２２は、４つの構成部分、つまりエンドキャップ軸線「ｍ」を画定するエンドキャップフレーム３６と、ノイズ低減器３８と、ロック・リング４０と、フィルター４２と、を含むことができる。エンドキャップフレーム３６は、ほぼ円錐形の形状を成して、細長いボディを形成することができる。細長いボディは、空気入口端部１８から離れる方向に断面積が減少する。エンドキャップフレーム３６の長手方向長さ「ＬE」は、約３５ｍｍからの範囲にある。エンドキャップフレーム３６の直径は、約６６ミリメートル（ｍｍ）（「ＥD1」）であり、約５２ミリメートル（ｍｍ）（「ＥD2」）まで低減する。エンドキャップフレーム３６は、周囲空気を受容するための空気取り込み口４４を形成し、周囲空気を搬送するために、胴部１６の空気入口１８と流体連通している。
【００１３】
図５及び７に最もよく示されているように、ノイズ低減器３８も、円錐台の形状を成し、エンドキャップフレーム３６の内部境界に寸法がほぼ一致することができる。ノイズ低減器３８は、エンドキャップフレーム３６の長さの半分よりも大きく延びる長手方向「ＬR」を、例えば、長さの大部分にわたって延びる長手方向「ＬR」を、画定する。実施態様では、ノイズ低減器３８の長さは、胴部１６の空気入口端部１８に隣接した側で約５９．４ミリメートル（ｍｍ）（「ＲD1」）であり、胴部１６から離れる方向に約４９ミリメートル（ｍｍ）（「ＲD2」）まで減少する。構成部分の全体的な相対的幾何学形状及びテーパを維持しながら、エンドキャップ２２及びノイズ低減器３８の、他の寸法も考えられる。
【００１４】
ノイズ低減器３８は、ヘアスタイリング装置１０の操作に関連する音響エネルギー、音、及び／又は振動、を低減するように寸法設定されている。実施態様では、ノイズ低減器３８は、ノイズ及び／又は振動を低減する材料、例えば音響発泡体リングを含む。発泡体リングは、エンドキャップフレーム３６内部の残留する音及び振動を除去するように構成されている。例えば、発泡体リングは、音響エネルギー又は音エネルギーを吸収する高い吸収能力と関連する極めて低い反射能力を有することによって特徴付けられる。好適な音響発泡体材料は、任意の商業的に入手可能な音響オープンセル発泡体を含む。更に、ノイズ低減器３８の伸長された軸線方向長さは、音響波、音波、及び／又は振動波がエンドキャップフレーム３６を通って伝播するときに晒される表面積を増大させ、これにより、ノイズ低減器３８の発泡体内部の吸収を更に容易にする。更に、ノイズ低減器３８の円錐形状は、ノイズ低減器３８の発泡体によって吸収されない伝播する波の移動距離を増大させることにより、ノイズの低減を容易にすることができ、伝播する波の移動距離は、エンドキャップ軸線「ｍ」に対して長手方向及び半径方向の相対成分を含む。
【００１５】
ノイズ低減器３８は、任意の従来配置によってエンドキャップフレーム３６内部に取り付けることができる。１実施態様では、ロック・リング４０は、構成部分間にノイズ低減器３８を保持する様式で、エンドキャップフレーム３６内部に組み付けられる。例えば、ロック・リング４０は、内側環状突起４６を含んでいてよく、内側環状突起４６は、エンドキャップフレーム３６の対応環状ロック凹部４８内部に、スナップ結合関係を成して受容され、これによりロック・リング４０を、エンドキャップフレーム３６に、これらの間にノイズ低減器３８の周囲が配置された状態で保持する。セメント、接着剤等の使用を含む他の配置も考えられる。
【００１６】
ロック・リング４０は、更に、ノイズ低減器３８の内面に係合する少なくとも２つのスペーサ５０と、少なくとも３つのロック・デテント５２と、を含んでいる。スペーサ５０は、エンドキャップフレーム３６の内面に対する、又はこの内面に当て付けられる、ノイズ低減器３８の位置を維持することにより、例えばエンドキャップフレーム３６に対する移動を防止する。ロック・デテント５２は、空気入口端部１８に隣接する胴部１６内部の、対応する環状凹部５４に係合することにより、エンドキャップ２２を、胴部１６に、胴部とスナップ結合関係を成して保持する。図８は、１つのロック・デテント５２と、胴部１６内部の内側環状ロック突起５４を形成するエッジと、の係合を示す、部分的な断面図である。ロック・リング４０は、更に、フィルター４２の周囲を受容する内側環状段付き部５６を含み、これによりフィルター４２をエンドキャップ２２に対して保持する。フィルター４２は、糸屑、ダスト、及び毛髪、又はこれに類するものを捕捉する任意の周知のスクリーンタイプのフィルターとすることができる。１実施態様では、フィルター４２は、清浄化及び／又は交換のために、内側環状段付き部５６から取り外すことができる。
【００１７】
エンドキャップ２２は、胴部１６に対して選択的に取り外し可能である。例えば、エンドキャップフレーム３６を係合し、胴部１６から離れる方向に外方に向かう力を導いて、ロック・デテント５２を、内向きの矢印「ｔ」（図８）の方向に一時的に変位させ、これにより、ロック・デテント５２が胴部１６内部の環状凹部５４から外れるようにすることによって、エンドキャップ２２を取り外すことができる。エンドキャップフレーム３６を、胴部１６の空気入口端部１８に向かって前進させ、これにより、ロック・デテント５２が、内方に向かって変向し、ロック突起５４と対面すると外方に向かって戻るようにすることにより、エンドキャップフレーム３６を、胴部１６に対して保持することによって、エンドキャップ２２を、胴部１６に取り付けることができる。フィルター４２は、エンドキャップフレーム３６から選択的に解放することができ、すなわち、エンドキャップ２２を、清浄化及び／又は交換のために、胴部１６から取り外すことができる。
【００１８】
使用中、ヘアスタイリング装置１０を作動させる。空気は、エンドキャップ２２の空気取り込み口４４内へ引き込まれる。図９に示されているように、空気の取り込みによって発生するノイズに加えて、モーター及びファンの操作と関連する音響エネルギー、又は波形、ノイズ及び／又は振動「ｅ」が、ノイズ低減器３８によって最小化され、低減され、及び／又は吸収される。図９では、明確化のため、ロック・リング４０及びフィルター４２は、取り外されている。ノイズ低減器３８の音響発泡体は、音響エネルギーのうちの少なくともいくらか又はほとんどを吸収し、又は音響音波を少なくとも部分的に反射させる。上述のように、ノイズ低減器３８の伸長された軸線方向長さ、例えば円錐台形状によって、音響波、音波、振動波が接触する表面積が増大し、これにより、ノイズ低減器３８の発泡体内部での吸収を更に良好に行う。ノイズ低減器３８によって吸収されない残留エネルギー波があっても、これらは、発泡体のオープンセル及び軟質面によって減衰され、これにより、ノイズ低減が、更に良好に行われる。
【００１９】
添付の図面を参照しながら本開示の例示的実施態様を説明してきたが、上記の説明、開示、及び図面は、制限的なものとしてではなく、単に特定の実施態様の例示として解釈されるべきである。従って、言うまでもなく、本開示は、これらの厳密な実施態様に制限されるものではなく、当業者ならば、本開示の範囲又は思想を逸脱することなしに、様々な他の変更及び修正を加えることができるであろう。
【図１】
0006530415.tif 000002
【図２】
0006530415.tif 000003
【図３】
0006530415.tif 000004
【図４】
0006530415.tif 000005
【図５】
0006530415.tif 000006
【図６】
0006530415.tif 000007
【図７】
0006530415.tif 000008
【図８】
0006530415.tif 000009
【図９】
0006530415.tif 000010